(57)【特許請求の範囲】
【請求項１】
耳孔から発生する赤外線を案内するプローブと、前記赤外線の温度を検出する赤外線検出器と、前記赤外線検出器の出力信号をＡＤ変換するＡＤ変換器と、ＡＤ変換器の信号を受けて被測定物の温度に応じた信号を出力する温度換算手段と、温度換算手段の温度換算結果を表示する測定値表示手段と、前記温度換算手段の信号を受けて電気的な音声信号を発生する音声合成手段と、前記音声合成手段の出力信号によって音声を発生するスピーカと、前記プローブの内壁に設けられた第１の電極及び第２の電極と、前記第１の電極及び前記第２の電極の間の抵抗値を測定する抵抗値測定手段とを備え、前記抵抗値測定手段が測定した第１の電極と第２の電極間の抵抗値があらかじめ決められた値よりも小さいことを検出すると体温の測定を実行しない耳孔式体温計。
【請求項２】
耳孔から発生する赤外線を案内するプローブと、前記赤外線の温度を検出する赤外線検出器と、前記赤外線検出器の出力信号をＡＤ変換するＡＤ変換器と、ＡＤ変換器の信号を受けて被測定物の温度に応じた信号を出力する温度換算手段と、温度換算手段の温度換算結果を表示する測定値表示手段と、前記温度換算手段の信号を受けて電気的な音声信号を発生する音声合成手段と、前記音声合成手段の出力信号によって音声を発生するスピーカと、前記プローブの外壁に設けられた第１の電極及び第２の電極と、前記第１の電極及び前記第２の電極の間の抵抗値を測定する抵抗値測定手段とを備え、前記抵抗値測定手段が測定した第１の電極と第２の電極間の抵抗値があらかじめ決められた値よりも小さいことを検出すると体温の測定を実行しない耳孔式体温計。
【請求項３】
前記抵抗値測定手段が高抵抗を検出した場合には体温を測定しない請求項２に記載した耳孔式体温計。
【請求項４】
暗状態検出手段が赤外線検出器近傍に配置した可視光受光部によって暗状態を検出した場合にのみ体温を測定する請求項１から３のいずれか１項に記載した耳孔式体温計。
【請求項５】
プローブの温度を検出する温度検出器を有し、この温度検出器が検出した温度があらかじめ設定した値よりも大きい場合には体温の測定を実行し、あらかじめ設定した値よりも小さい場合には体温の測定を実行しない請求項１から４のいずれか１項に記載した耳孔式体温計。
【請求項６】
赤外線検出器の近傍に可視光を発光する発光手段を配置し、この発光手段を発光させた状態で赤外線検出器の信号が基準値を超えて変動したときには、測定値表示手段に異常状態であることを表示する請求項１から５のいずれか１項に記載した耳孔式体温計。
【請求項７】
温度換算手段の出力を受ける測定値判定手段を備え、前記測定値判定手段が温度換算手段の出力が予め設定した値よりも小さい場合にはブザーを駆動して異常を報知する請求項１から５のいずれか１項に記載した耳孔式体温計。
【請求項８】
温度換算手段の出力を受ける測定値判定手段を備え、前記測定値判定手段が温度換算手段の出力が予め設定した値よりも小さい場合には振動モータを駆動して異常を報知する請求項１から５のいずれか１項に記載した耳孔式体温計。
【請求項９】
一定時間毎に信号を出力するタイマーを備え、温度換算手段がこのタイマーの出力信号を受ける毎にそれまでに得られたデータから体温を演算し、この中の最も高い体温を測定値として音声合成手段に出力するようにした請求項１から７のいずれか１項に記載した耳孔式体温計。
【請求項１０】
赤外線検出器を包み込むように配置した金属塊を備えた請求項１から９のいずれか１項に記載した耳孔式体温計。
【請求項１１】
プローブ内壁に向けて圧縮された空気を吹き付ける空気ポンプを有する請求項１から１０のいずれか１項に記載した耳孔式体温計。
【発明の詳細な説明】
【０００１】
【発明の属する技術分野】
本発明は非接触で耳孔内部の温度を検出する耳孔式体温計に関するものである。
【０００２】
【従来の技術】
非接触で耳孔内部の温度を検出する耳孔式体温計として、耳孔内部から放射された赤外線を導波管や集光レンズを用いて焦電型赤外線検出素子や複数の微少な熱電対を組み合わせたサーモパイル素子等の受光面に導いて、耳孔内部から放射された赤外線の強度を検出し、この赤外線の強度を温度に換算して表示する構成のものがある。
【０００３】
【発明が解決しようとする課題】
前記従来の構成の耳孔式体温計は、測定結果を表示する表示部が見にくいという課題を有している。つまり、表示部を筐体部分に配置しているため、測定結果を知るためには毎回耳孔式体温計を耳から抜いて目の前に持ってきて確認する必要があるものである。このことは、例えば、朝目覚めた直後に体温を測りたい等の場合には、周囲が暗いため使い勝手の悪さを感じるものである。
【０００４】
【課題を解決するための手段】
本発明は、測定値または動作状態を報知する音声合成手段を設け、音声合成手段の出力をスピーカによって通知するようにして、測定結果を容易に知ることができる耳孔式体温計としている。更に、プローブの内壁又は外壁に設けられた第１の電極と第２の電極との間の抵抗値を抵抗値測定手段により測定し、抵抗値があらかじめ決められた値よりも小さいことを検出すると体温の測定を実行しないことにより、常に正しい状態で体温の測定ができる耳孔式体温計としている。
【０００５】
【発明の実施の形態】
請求項１，２に記載した発明は、耳孔から発生する赤外線を赤外線検出器によって検出し、この信号をＡＤ変換器によってＡＤ変換した信号を温度換算手段によって換算した温度信号を音声合成手段とスピーカとを介して出力するようにして、体温の測定結果を音声によっても容易に知ることができる耳孔式体温計としている。
更に、請求項１に記載した発明は、抵抗値測定手段によってプローブ内壁に設けた第１の電極と第２の電極間の抵抗値があらかじめ決められた値よりも小さいことを検出した場合には、プローブの内壁等に結露が生じているとして体温の測定を実行しないようにして、正確な体温の測定が実行できる耳孔式体温計としている。
また、請求項２に記載した発明は、抵抗値測定手段によってプローブ外壁に設けた第１の電極と第２の電極間の抵抗値があらかじめ決められた値よりも小さいことを検出すると、耳孔内が発汗によって結露するとして体温の測定を実行しないようにして、正確な体温の測定が実行できる耳孔式体温計としている。
【０００６】
請求項３に記載した発明は、請求項２に記載した発明において、抵抗値測定手段によって測定した第一の電極と第二の電極との間の電気的抵抗が基準値よりも高いときは、耳孔内にプローブが挿入されていないとして体温の測定を実行しないようにして常に正しい状態で体温の測定ができる耳孔式体温計としている。
【０００７】
請求項４に記載した発明は、暗状態検出手段が赤外線検出器近傍に配置した可視光受光部によって暗状態を検出した場合に、耳孔内にプローブが挿入されているとして体温の測定を実行するようにして、常に正しい状態で体温の測定ができる耳孔式体温計としている。
【０００８】
請求項５に記載した発明は、プローブの温度を検出する温度検出器によって検出した温度があらかじめ設定した値よりも大きい場合にはプローブが耳孔内に挿入されたとして体温の測定を実行し、あらかじめ設定した値よりも小さい場合にはプローブが耳孔内に挿入されていないとして体温の測定を実行しないようにして、正確な体温の測定が実行できる耳孔式体温計としている。
【００１１】
請求項６に記載した発明は、赤外線検出器の近傍に可視光を発光する発光手段を配置し、この発光手段を発光させた状態で赤外線検出器の信号が基準値を超えて変動したときには、赤外線を集光する集光手段が結露しているとして体温の測定を実行しないようにして、正確な体温の測定が実行できる耳孔式体温計としている。
【００１２】
請求項７に記載した発明は、温度換算手段の出力が予め設定した値よりも小さいことを測定値判定手段によって検知したときには、ブザーを駆動して異常を報知するようにして、正確な体温の測定が実行できる耳孔式体温計としている。
【００１３】
請求項８に記載した発明は、温度換算手段の出力を受ける測定値判定手段を備え、前記測定値判定手段が温度換算手段の出力が予め設定した値よりも小さい場合には測定不良であるとして振動モータを駆動して異常を報知するようにして、正確な体温の測定が実行できる耳孔式体温計としている。
【００１４】
請求項９に記載した発明は、一定時間毎に信号を出力するタイマーを備え、温度換算手段がこのタイマーの出力信号を受ける毎にそれまでに得られたデータから体温を演算して、この中の最も高い体温を測定値とすることによって、測定中にプローブの方向を修正でき、正確な体温の測定が実行できる耳孔式体温計としている。
【００１５】
請求項１０に記載した発明は、赤外線検出器を包み込むように配置した金属塊によって、赤外線検出器自体の熱容量を大きくでき、測定中の赤外線検出器の温度変動を少なくして正確な測定ができる耳孔式体温計としている。
【００１６】
請求項１１に記載した発明は、空気ポンプによってプローブ内壁に圧縮空気を吹き付けるようにして、プローブ内壁に耳垢が付着することを防止し、正確な測定ができる耳孔式体温計としている。
【００１７】
【実施例】
（実施例１）
以下本発明の第１の実施例について説明する。図１は本実施例の構成を示すブロック図である。プローブ１１は耳孔１３内に挿入して使用する、耳孔内から発生する赤外線は、プローブ１１によって集光手段１２に案内されている。集光手段１２はレンズとして作用するもので、プローブ１１によって案内された赤外線は、集光手段１２の焦点の位置に配置している赤外線検出器１に集められる。このときプローブ１１は、前記集光手段１２の位置を安定化する機能も有している。
【００１８】
赤外線検出器１は図２に示す構成となっている。すなわち、受光部１４と温度検出器２とを有している。受光部１４は本実施例ではポリエチレンフィルムの表面に設けたセラミック等によって構成した焦電素子によって構成している。すなわち前記ポリエチレンフィルムは熱絶縁体として作用しており、受光した赤外線によってポリエチレンフィルム以外の部分が加熱されないように限定しているものである。また、受光した赤外線によって前記焦電素子の表面には＋電荷が発生し、焦電素子の裏面には−電荷が発生するものである。この電荷の総量は、受光した赤外線の総量に比例するものとなっている。この電荷は、図１に示している増幅器３によって増幅され、ＡＤ変換器４によってＡＤ変換され、温度換算手段５に伝達されている。
【００１９】
前記温度検出器２はサーミスタによって構成しており、赤外線検出器１の受光部１４外に配置されており、赤外線検出器１自体の温度を検出して、前記ＡＤ変換器４に伝達している。
【００２０】
ＡＤ変換器４は、伝達されたアナログ信号をディジタル信号に変換して温度換算手段５に伝達している。温度換算手段５は、赤外線検出器１から受けた温度データと、温度検出器２から受けた温度データとを所定の演算式によって演算することによって、鼓膜１３の温度を演算し、この信号を音声合成手段６と測定値表示手段７に伝達して報知と表示とを行っている。前記赤外線検出器１の受光部１４が出力する直流電圧値は、鼓膜１３から照射された赤外線によって上昇した受光部１４の温度と、赤外線検出器１自体の温度との差に比例する。前記温度換算手段５が備えている演算式は、この関係に基づいて設定しているものである。
【００２１】
音声合成手段６は、温度換算手段５の出力に基づいて数値等の単語の音声信号を出力する。音声合成手段６から出された音声信号は、音声信号増幅手段８で十分な大きさの電気信号に増幅されて、スピーカ１０から音声として放射される。
【００２２】
以下本実施例の動作について説明する。使用者がプローブ１１を耳孔に挿入し、図示していないスイッチをオンする。鼓膜１３から放射される赤外線は、プローブ１１から集光手段１２を介して赤外線検出器１に伝達される。鼓膜１３は人体の中枢部に連絡されているため、鼓膜１３から放射される赤外線は人体の温度を最も正確に表しているものである。赤外線検出器１は、この人体の温度を示す赤外線信号をアナログ信号として増幅器３に伝達し、更に増幅器３からＡＤ変換器４に伝達しているものである。ＡＤ変換器４はこの信号と、赤外線検出器１自体の温度を検出する温度検出器２の信号とをディジタル信号に変換して、温度換算手段５に伝達している。温度換算手段５は例えばマイコンを使用しており、この二つの信号から人体の温度を演算し、この信号を音声合成手段６と測定値表示手段７に伝達している。
【００２３】
音声合成手段６は、温度換算手段５の換算信号を受けて、測定値に相当する単語を電気信号として出力する。たとえば測定値が３６．５℃であった場合には「さんじゅう」という単語と「ろく」という単語と「てん」という単語と「ご」という単語と「ど」という合計５つの単語の音声信号を連続的に出力する。この音声信号は、音声信号増幅部８で増幅され、スピーカ１０から測定者に聞こえるように発音される。
【００２４】
このように本実施例は、体温の測定結果を測定値表示手段７に文字として表示すると共に、スピーカ１０から音声によって報知するようにしているものである。このため、従来耳孔式体温計が有している表示部が見にくいという課題を解決しているものである。
つまり、測定結果を知るためには毎回プローブ１１を耳から抜いて、表示部を目の前に持ってきて確認したりする必要がなく、また、朝目覚めた直後に体温を測定したいときには、周囲が暗い状態であっても容易に体温が測定できるものである。
【００２５】
（実施例２）
続いて本発明の第２の実施例について説明する。図３は本実施例の構成を示すブロック図である。本実施例では、プローブ１１の外側に第１の電極２６及び第２の電極２７を設けている。第１の電極２６及び第２の電極２７は、プローブ１１を耳孔に挿入したときに耳孔内の皮膚に触れるようになっている。前記第１の電極２６と第２の電極２７との間には、第１の電極２６と第２の電極２７間の電気抵抗値を測る抵抗値測定手段２８を設けている。この抵抗値測定手段２８の出力信号は、非導通検出手段２９に伝達されている。非導通検出手段２９は抵抗値測定手段２８が測定した第１の電極２６と第２の電極２７との間の抵抗値が、たとえば１ＭΩ以上であれば非導通であると判断する非導通検出手段である。
【００２６】
以下本実施例の動作について説明する。前記しているように、第１の電極２６及び第２の電極２７は、プローブ１１を測定者の耳孔に挿入したときに、測定者の耳孔内の皮膚に触れている。従ってプローブ１１を耳孔内に挿入していないときには、抵抗値測定手段２８が測定する抵抗値は、当然非常に高いものとなっている。つまり、抵抗値測定手段２８が測定した第１の電極２６と第２の電極２７との間の抵抗は１ＭΩ以上となる。このため非導通検出手段２９は、非道通状態であることを検出する。この非導通状態であるにもかかわらず、使用者が図示していないスイッチを操作して測定開始を指示しても、本実施例では体温の測定を実行しないようにしているものである。
【００２７】
つまり、意味のない低い温度を表示したりすることがなく、常に正しい状態での体温を報知できる耳孔式体温計を実現するものである。
【００２８】
（実施例３）
続いて本発明の第３の実施例について説明する。図４は本実施例の構成を示すブロック図である。本実施例では、可視光受光部３２と暗状態検出手段３３を備えている。可視光受光部３２は耳孔式体温計の赤外線検出器１近傍の明るさを検出している。可視光受光部３２の出力は暗状態検出手段３３に伝達されており、暗状態検出手段３３は内蔵している基準値と比較して赤外線検出器１周囲が明るいか暗いかを判断し、この出力を温度換算手段５に伝達している。
【００２９】
以下本実施例の動作について説明する。暗状態検出手段３３が赤外線検出器１の近傍が暗いと判断する信号を温度換算手段５に伝達すると、温度換算手段５は測定値はプローブ１１を正しく耳に挿入して得られたものと判断し測定値表示手段７に測定温度を表示させる。また、暗状態検出手段３３が赤外線検出器１の近傍が明るいと判断したときには、プローブ１１を正しく耳に挿入して得られたものではない判断して測定値表示手段７には測定温度を表示しない。つまり、プローブ１１が正しく耳に挿入されたことを赤外線検出器１の近傍の明るさを検知することにより判断し、プローブ１１を耳に正しく入れられたと判断したときにだけ、測定値表示手段に測定温度を表示するようにしている。
【００３０】
以上のように本実施例によれば、常に正しい状態での体温を報知できる耳孔式体温計を実現するものである。
【００３１】
（実施例４）
続いて本発明の第４の実施例について説明する。図５は本実施例の構成を示すブロック図である。本実施例では、赤外線検出器１に第１の温度検出器２を、プローブ１１の先端に第２の温度検出器４３を設けている。この第２の温度検出器４３の出力は、温度変化検出手段４４に伝達されている。
【００３２】
以下本実施例の動作について説明する。プローブ１１が耳孔内に挿入される前はプローブ１１の温度はほぼ室温と等しく、このためプローブ１１に取り付けられている第２の温度検出器４３の出力も安定している。使用者が体温を測定するためにプローブ１１を耳孔内に挿入すると、プローブ１１の温度は急激に上昇し、第２の温度検出器４３の出力は変化する。温度変化検出手段４４はこの第２の温度検出器１２の温度信号を監視しており、第２の温度検出器４３の検出した温度があらかじめ設定した値よりも大きい場合にはプローブが耳孔内に挿入されたとして体温の測定を実行し、あらかじめ設定した値よりも小さい場合にはプローブが耳孔内に挿入されていないとして体温の測定を実行しないようにしているものである。
【００３３】
以上のように本実施例によれば、常に正しい状態での体温を報知できる耳孔式体温計を実現するものである。
【００３４】
（実施例５）
続いて本発明の第５の実施例について説明する。図６は本実施例の構成を示すブロック図である。本実施例では、第１の電極２６と第２の電極２７をプローブ１１の内壁に配置している。また第１の電極２６と第２の電極２７との間には、抵抗値測定手段２８が接続されている。抵抗値測定手段２８の出力は、導通検出手段３０に接続されており、導通検出手段３０の出力は温度換算手段５に伝達されている。
【００３５】
従来の構成では、耳孔式体温計の温度が低く、耳孔内の発汗が多いときには、プローブ１１の内壁をはじめ集光手段１２の反射部表面や、赤外線検出器１の受光面に結露することがあった。この結露が生じると、水滴部分によって鼓膜１３が発生した赤外線が吸収される現象が生ずるものである。この状態では、赤外線検出器１に伝達される赤外線の総量が正しく体温を反映するものとはなっていないため、体温は正しく測定されないものである。
【００３６】
この点本実施例では、抵抗値測定手段２８が測定した第１の電極２６と第２の電極２７との間の抵抗値がたとえば１ＭΩ以下であれば結露が生じていると判断する導通検出手段３０を使用している。従って導通検出手段３０によって、正常状態であることを判定したときにのみ体温の測定を実行することによって、常に正しい状態での体温を報知できる耳孔式体温計を実現するものである。
【００３７】
（実施例６）
続いて本発明の第６の実施例について説明する。図７は本実施例の構成を示すブロック図である。本実施例では、発光手段６０を赤外線検出器１の近傍に設けている。発光手段６０は本実施例では可視光を発光する発光ダイオードによって構成しており、温度換算手段５の信号によって駆動されるようになっている。また、発光手段６０の発光方向は集光手段１２の方向となっている。
【００３８】
通常集光手段１２の反射鏡表面は鏡面で、赤外線検出器１から来た光線は集光手段１２の反射鏡面で反射されプローブ１１の開口部から外部に抜けていく。しかし、集光手段１２の反射鏡表面に結露が生じている場合は、この光は正しく反射されずに散乱されて、あらゆる方向に向かうものである。従って一部の光は、赤外線検出器１にも入射する。この状態では、体温の測定は正確ではないものである。
【００３９】
本実施例では、体温の測定を実行する前に、温度換算手段５を構成しているマイコンが使用者が図示していない測定開始スイッチをオンした段階で発光手段６０を駆動しているものである。この状態で赤外線検出器１の出力が大きく変動すれば、発光ダイオード６０から放射された可視光が、集光手段１２の反射鏡面等の結露によって散乱されている状態と判断するものである。つまり、本実施例ではこのような結露状態では正しい体温測定はできないものとして、測定値表示部７に異常通知を実行し、体温の測定は実行はしないものである。
【００４０】
以上のようにして、本実施例では常に正確な体温の測定が実行できる耳孔式体温計を実現しているものである。
【００４１】
（実施例７）
続いて本発明の第７の実施例について説明する。図８は本実施例の構成を示すブロック図である。本実施例では、耳孔式体温計のプローブ１１の先端部分に第１の電極５１と第２の電極５２とを配置している。また、前記第１の電極５１と第２の電極５２との間に、抵抗値測定手段５３を設けており、前記電極間の抵抗値を測定している。抵抗値測定手段５３の出力は、導通検出手段５４に接続されている。導通検出手段５４は、抵抗値測定手段５３が検出した抵抗値があらかじめ決められた抵抗値よりも小さい場合には、導通状態であるとして温度換算手段５に伝えている。
【００４２】
以下本実施例の動作について説明する。抵抗値測定手段５３は、プローブ１１の先端部分に配置している第１の電極５１と第２の電極５２との間の抵抗値を測定している。つまり、測定者がプローブ１１を耳孔内に挿入したときの前記電極間の抵抗値を検出しているものである。この抵抗値が、導通検出手段５４によって基準値よりも低下していると認識されたときには、導通検出手段５４は耳孔内に発汗が異常に多く結露の可能性があるとして、測定値表示部７に異常を報知し、体温の測定は実行しないものである。
【００４３】
以上のようにして、本実施例では常に正確な体温の測定が実行できる耳孔式体温計を実現しているものである。
【００４４】
（実施例８）
続いて本発明の第８の実施例について説明する。図９は本実施例の構成を示すブロック図である。本実施例では温度換算手段５に測定不良検出手段３６を接続している。測定不良検出手段３６は、内蔵している基準値に比べて温度換算手段５の出力値が低すぎないかどうかを判定している。また、温度換算手段５の出力値が前記した基準状態よりも低い場合には、例えばプローブ１１の設定が不良である等として測定不良である報知をブザー６１によって行っている。この報知音は本実施例では、ビープ音としているものである。
【００４５】
以上の構成とすることによって、常に正しい測定が出来る耳孔式体温計を実現できるものである。
【００４６】
（実施例９）
続いて本発明の第９の実施例について説明する。図１０は本実施例の構成を示すブロック図である。本実施例では、図９に示しているブザー６１に代えて、振動モータ６２を使用している。振動モータ６２は携帯電話の着信通知用の小型モータである。測定不良検出手段３６の出力信号が測定不良である場合には、測定が正しくなかったとして、振動モータ６２を駆動するものである。使用者はこの振動モータの振動によって測定が誤りであることを認識して、再測定を実行するものである。
【００４７】
以上の構成とすることによって、常に正しい測定が出来る耳孔式体温計を実現できるものである。
【００４８】
（実施例１０）
次に本発明の第１０の実施例について説明する。図１１は本実施例の構成を示すブロック図である。本実施例では温度換算手段５にタイマー３５を接続している。タイマー３５は一定時間毎に、たとえば１秒毎に信号を出力している。このタイマー３５から信号が出力される毎に、温度換算手段５はそれまでに得られたデータから測定値を算出し出力する。本実施例では、温度換算手段５は例えば８回の測定データの内から最も高い温度を体温として採用して、音声合成手段６に伝達し、音声合成信号増幅手段７からスピーカ１０を介して音声で報知するようにしている。また同時に、測定値表示手段７に８回分の体温データを順次表示するものである。
【００４９】
実際の体温測定では、プローブ１１の挿入方向によって、測定値がばらつくものである。このばらつきは、測定した体温が高いプローブ１１の方向が正しい方向となっているものである。このため、本実施例では、測定結果が最も高いときのプローブ１１の方向を知ることができ、プローブ１１の方向の修正が容易にできて正しい測定が実行できるものである。
【００５０】
（実施例１１）
続いて本発明の第１１の実施例について説明する。図１２は本実施例の構成を示すブロック図である。本実施例では、赤外線検出器１は金属塊６５によって覆っているものである。金属塊６５はたとえば亜鉛で構成しており、赤外線検出器１に密着させているものである。このため、本実施例では赤外線検出器１は熱容量が大きくなっている。つまり、使用者が赤外線検出器１を手で持っても、体温の伝達によって赤外線検出器１の温度が大きく変化することはないものである。
【００５１】
赤外線検出器１の温度が変化すると、測定した体温の値は誤差を含んだものとなる。この点本実施例によれば、赤外線検出器１は金属塊６５によって覆っている構成としているため、前記しているように使用者が赤外線検出器１を手で持ったとしても、赤外線検出器１の温度変化は極めて微少となるものである。
【００５２】
以上のように本実施例によれば、赤外線検出器の温度を安定化させることができ、さらに正確な測定ができる耳孔式体温計を実現するものである。
【００５３】
（実施例１２）
続いて本発明の第１２の実施例について説明する。図１３は本実施例の構成を示すブロック図である。本実施例では、圧縮された空気を吹き出す空気ポンプ６６を赤外線検出器１の近傍に設けている。また、空気ポンプ６６の吐出口となるノズル６７を、プローブ１１の内壁方向に向けている。
【００５４】
耳孔体温計はプローブ１１を耳孔内に挿入して測定する。このため、プローブ１１の内壁には耳垢が詰まりやすいものである。耳垢がプローブ１１内に詰まっている場合は、鼓膜１３から放射された赤外線が減衰して、正確な体温測定ができないものである。
【００５５】
この点本実施例によれば、測定前あるいは測定後に空気ポンプ６６を駆動してノズル６７から空気をプローブ１１の内壁方向に吹き付けることにより、詰まった耳垢を排除することができる。
【００５６】
以上のように本実施例によれば、測定前あるいは測定後に空気ポンプ６６を駆動してノズル６７から空気をプローブ１１の内壁方向に吹き付けることにより、詰まった耳垢を排除することができ、常に正確な体温測定ができる耳孔体温計を実現できるものである。
【００５７】
【発明の効果】
請求項１，２に記載した発明は、耳孔から発生する赤外線を案内するプローブと、前記赤外線の温度を検出する赤外線検出器と、前記赤外線検出器の出力信号をＡＤ変換するＡＤ変換器と、ＡＤ変換器の信号を受けて被測定物の温度に応じた信号を出力する温度換算手段と、温度換算手段の温度換算結果を表示する測定値表示手段と、前記温度換算手段の信号を受けて電気的な音声信号を発生する音声合成手段と、前記音声合成手段の出力信号によって音声を発生するスピーカとを備えた構成として、体温の測定結果を音声によっても容易に知ることができる耳孔式体温計を実現するものである。
更に、請求項１に記載した発明は、抵抗値測定手段によってプローブ内壁に設けた第１の電極と第２の電極間の抵抗値があらかじめ決められた値よりも小さいことを検出すると体温の測定を実行しない構成として、正確な体温の測定が実行できる耳孔式体温計を実現するものである。
また、請求項２に記載した発明は、抵抗値測定手段によってプローブ外壁に設けた第１の電極と第２の電極間の抵抗値があらかじめ決められた値よりも小さいことを検出すると体温の測定を実行しない構成として、正確な体温の測定が実行できる耳孔式体温計を実現するものである。
【００５８】
請求項３に記載した発明は、請求項２に記載した発明において、前記抵抗値測定手段が高抵抗を検出した場合には体温を測定しない構成として、常に正しい状態で体温の測定ができる耳孔式体温計を実現するものである。
【００５９】
請求項４に記載した発明は、暗状態検出手段が赤外線検出器近傍に配置した可視光受光部によって暗状態を検出した場合にのみ体温を測定する構成として、常に正しい状態で体温の測定ができる耳孔式体温計を実現するものである。
【００６０】
請求項５に記載した発明は、プローブの温度を検出する温度検出器を有し、この温度検出器が検出した温度があらかじめ設定した値よりも大きい場合には体温の測定を実行し、あらかじめ設定した値よりも小さい場合には体温の測定を実行しない構成として、正確な体温の測定が実行できる耳孔式体温計を実現するものである。
【００６３】
請求項６に記載した発明は、赤外線検出器の近傍に可視光を発光する発光手段を配置し、この発光手段を発光させた状態で赤外線検出器の信号が基準値を超えて変動したときには、測定値表示手段に異常状態であることを表示する構成として、赤外線検出器の近傍に配置した発光手段の信号が基準値を超えて変動したときには測定値表示手段に異常状態であることを表示する構成として、正確な体温の測定が実行できる耳孔式体温計を実現するものである。
【００６４】
請求項７に記載した発明は、温度換算手段の出力を受ける測定値判定手段を備え、前記測定値判定手段が温度換算手段の出力が予め設定した値よりも小さい場合にはブザーを駆動して異常を報知する構成として、正確な体温の測定が実行できる耳孔式体温計を実現するものである。
【００６５】
請求項８に記載した発明は、温度換算手段の出力を受ける測定値判定手段を備え、前記測定値判定手段が温度換算手段の出力が予め設定した値よりも小さい場合には振動モータを駆動して異常を報知する構成として、正確な体温の測定が実行できる耳孔式体温計を実現するものである。
【００６６】
請求項９に記載した発明は、一定時間毎に信号を出力するタイマーを備え、温度換算手段がこのタイマーの出力信号を受ける毎にそれまでに得られたデータから体温を演算し、この中の最も高い体温を測定値として音声合成手段に出力するようにして、測定中にプローブの方向を修正でき、正確な体温の測定が実行できる耳孔式体温計を実現するものである。
【００６７】
請求項１０に記載した発明は、赤外線検出器を包み込むように配置した金属塊を備えた構成として、赤外線検出器自体の熱容量を大きくでき、測定中の赤外線検出器の温度変動を少なくして正確な測定ができる耳孔式体温計を実現するものである。
【００６８】
請求項１１に記載した発明は、プローブ内壁に向けて圧縮された空気を吹き付ける空気ポンプを有する構成として、プローブ内壁に耳垢が付着することを防止し、正確な測定ができる耳孔式体温計を実現するものである。
【図面の簡単な説明】
【図１】本発明の第１の実施例である耳孔式体温計の構成を示すブロック図
【図２】同、赤外線検出器の内部構成を示す説明図
【図３】本発明の第２の実施例である耳孔式体温計の構成を示すブロック図
【図４】本発明の第３の実施例である耳孔式体温計の構成を示すブロック図
【図５】本発明の第４の実施例である耳孔式体温計の構成を示すブロック図
【図６】本発明の第５の実施例である耳孔式体温計の構成を示すブロック図
【図７】本発明の第６の実施例である耳孔式体温計の構成を示すブロック図
【図８】本発明の第７の実施例である耳孔式体温計の構成を示すブロック図
【図９】本発明の第８の実施例である耳孔式体温計の構成を示すブロック図
【図１０】本発明の第９の実施例である耳孔式体温計の構成を示すブロック図
【図１１】本発明の第1０の実施例である耳孔式体温計の構成を示すブロック図
【図１２】本発明の第1１の実施例である耳孔式体温計の構成を示すブロック図
【図１３】本発明の第1２の実施例である耳孔式体温計の構成を示すブロック図
【符号の説明】
１    赤外線検出器
２    温度検出器
３    増幅器
４    ＡＤ変換器
５    温度換算手段
６    音声合成手段
７    測定値表示手段
８    音声信号増幅手段
１０  スピーカ
１１  プローブ
１２  集光手段
１３  鼓膜
１４  受光部
２６  第１の電極
２７  第２の電極
２８  抵抗値測定手段
２９  非導通検出手段
３０  導通検出手段
３２  光センサ
３３  暗状態検出手段
３４  単一周波数発生手段
３５  タイマー
３６  測定不良検出手段
４１、４４  温度変化検出手段
４２  温度不安定検出手段
５１  第１の電極
５２  第２の電極
５３  抵抗値測定手段
５４  導通検出手段
６０  発光手段
６１  ブザー
６２  振動モータ
６５  金属塊
６６  空気ポンプ
６７  ノズル
【図１】
0004181270.tif 000002
【図２】
0004181270.tif 000003
【図３】
0004181270.tif 000004
【図４】
0004181270.tif 000005
【図５】
0004181270.tif 000006
【図６】
0004181270.tif 000007
【図７】
0004181270.tif 000008
【図８】
0004181270.tif 000009
【図９】
0004181270.tif 000010
【図１０】
0004181270.tif 000011
【図１１】
0004181270.tif 000012
【図１２】
0004181270.tif 000013
【図１３】
0004181270.tif 000014